(57)【要約】【課題】画像表示部に被写体を表示するファインダーモードでストロボを用いた撮影を行う場合においても、被写体輝度を測光する測光手段を複数設けること無く、適正な撮影を実現する。【解決手段】画像表示部を用いて被写体を観察するＥＶＦモードが設定され（ステップＳ３００／ＹＥＳ）、ストロボを用いて撮影を行う場合（ステップＳ３０３／ＹＥＳ）、主ミラーが所定の位置にあることを検出した際に（ステップＳ３０４／ＹＥＳ）、ストロボから予備発光を行い（ステップＳ３０９又はＳ３１３）、当該予備発光時の測光センサーによる測光結果に基づいて（ステップＳ３１４）、ストロボから撮影時の本発光を行うようにする（ステップＳ３２１）。【選択図】図５−１
2007322895.tif 000002
【特許請求の範囲】
【請求項１】
被写体に対して閃光を発光する閃光手段と、
被写体観察状態と撮影状態との間を移動するミラーと、
前記ミラーが既定の位置にあるときに前記被写体の輝度を測光する測光手段と、
前記ミラーの位置を検出するミラー位置検出手段と、
前記閃光手段の撮影時の発光光量を制御する制御手段とを有し、
前記制御手段は、前記ミラー位置検出手段よって前記ミラーが前記既定の位置にあることを検出した際に前記閃光手段を予備発光させ、前記閃光手段を予備発光させたときの前記測光手段による測光結果に基づいて、前記閃光手段の撮影時の発光光量を設定することを特徴とする撮像装置。
【請求項２】
前記制御手段は、前記閃光手段を予備発光させないときの前記測光手段による測光結果と、前記閃光手段を予備発光させたときの前記測光手段による測光結果に基づいて、前記閃光手段の撮影時の発光光量を設定することを特徴とする請求項１に記載の撮像装置。
【請求項３】
前記制御手段は、前記ミラー位置検出手段よって前記ミラーが第１の位置にあることを検出した際に前記閃光手段を予備発光させないときの測光結果を得るとともに、前記ミラー位置検出手段よって前記ミラーが第２の位置にあることを検出した際に前記閃光手段を予備発光させたときの測光結果を得ることを特徴とする請求項２に記載の撮像装置。
【請求項４】
前記測光手段は、複数の測光エリアを具備する測光センサーで構成され、前記閃光手段を予備発光させないときの測光範囲と、前記閃光手段を予備発光させたときの測光範囲が異なるものであることを特徴とする請求項３に記載の撮像装置。
【請求項５】
前記閃光手段を予備発光させないときの測光範囲と、前記閃光手段を予備発光させたときの測光範囲とは一部が重なるように設定されていることを特徴とする請求項４に記載の撮像装置。
【請求項６】
前記閃光手段は、当該撮像装置の本体に内蔵された内蔵閃光装置、又は当該撮像装置の本体に外付けされた外付け閃光装置であることを特徴とする請求項１乃至５のいずれか１項に記載の撮像装置。
【請求項７】
前記内蔵閃光装置及び前記外付け閃光装置を具備し、
前記撮影制御手段は、前記予備発光を行う際、当該予備発光を行う閃光装置の種類に応じて発光タイミングを変更することを特徴とする請求項６に記載の撮像装置。
【請求項８】
被写体に対して閃光を発光する閃光手段と、被写体観察状態と撮影状態との間を移動するミラーと、前記ミラーが既定の位置にあるときに前記被写体の輝度を測光する測光手段と、前記ミラーの位置を検出するミラー位置検出手段と、前記閃光手段の撮影時の発光光量を制御する制御手段とを有する撮像装置の制御方法であって、
前記ミラー位置検出手段よって前記ミラーが前記既定の位置にあることを検出する検出ステップと、
前記ミラーが前記既定の位置にあることを検出した際に前記閃光手段を予備発光させる予備発光ステップと、
前記閃光手段を予備発光させたときの前記測光手段によって測光動作を行う測光ステップと、
前記測光ステップの測光結果に基づいて、前記閃光手段の撮影時の発光光量を設定する設定ステップと
を有することを特徴とする撮像装置の制御方法。
【請求項９】
被写体に対して閃光を発光する閃光手段と、被写体観察状態と撮影状態との間を移動するミラーと、前記ミラーが第１もしくは第２の位置にあるときに前記被写体の輝度を測光する測光手段と、前記ミラーの位置を検出するミラー位置検出手段と、前記閃光手段の撮影時の発光光量を制御する制御手段とを有する撮像装置の制御方法であって、
前記ミラー位置検出手段よって前記ミラーが前記第１の位置にあることを検出する検出ステップと、
前記ミラーが前記第１の位置にあることを検出した際に前記閃光手段を予備発光させずに前記測光手段によって測光動作を行う第１の測光ステップと、
前記ミラーが前記第２の位置にあることを検出した際に前記閃光手段を予備発光させる予備発光ステップと、
前記閃光手段を予備発光させたときの前記測光手段によって測光動作を行う第２の測光ステップと、
前記第１の測光ステップ及び前記第２の測光ステップの測光結果に基づいて、前記閃光手段の撮影時の発光光量を設定する設定ステップと
を有することを特徴とする撮像装置の制御方法。
【発明の詳細な説明】
【技術分野】
【０００１】
本発明は、ストロボ等の閃光装置を具備する撮像装置及びその制御方法に関するものである。
【背景技術】
【０００２】
以下に、従来の撮像装置について説明する。
図１０は、特許文献１の発明におけるカメラシステム（撮像装置）の機械的構成を示す概略図である。
同図において、８０１はカメラ本体である。また、８０２は光束をファインダーに導くための主ミラー、８０３はピント板、８０４はペンタプリズム、８０５はアイピース、８０６はシャッター、８０７はＣＣＤなどの撮像素子である。８０８は液晶などの画像表示部であり、撮影画像などの表示を行う。
【０００３】
８１０は測光センサーであり、被写体の輝度の測光を行う。８０９は測光レンズであり、撮影レンズ８２０及び主ミラー８０２によりピント板８０３上に結像された被写体の光学像を測光センサー８１０上に再結像する為のレンズである。８２０は撮影レンズ、８２１は光量を調整する為の絞りである。８１１はサブミラーであり、主ミラー８０２とともに、ファインダー観察状態では撮影光路内に斜設され、撮影状態では撮影光路外に退避する。このサブミラー８１１は、ファインダー観察状態では、斜設された主ミラー８０２を透過した光線を下方に折り曲げて、ＡＦミラー８１２とＡＦレンズ８１３を介してＡＦセンサー８１４に光線を導くものである。
【０００４】
次に、８３０はカメラの内蔵ストロボである。この内蔵ストロボ８３０において、８３１はＸｅ管、８３２及び８３３はＸｅ管８３１から発生するストロボ光を集光して、被写体に対して照射する為の反射笠及びフレネルレンズである。また、８４０はカメラの外付けストロボである。この外付けストロボ８４０において、８４１はＸｅ管、８４２及び８４３はＸｅ管８４１から発生するストロボ光を集光して、被写体に対して照射する為の反射笠及びフレネルレンズである。
【０００５】
図１０のカメラシステムにおける動作を簡単に説明すると、撮影直前に内蔵ストロボ８３０のＸｅ菅８３１或いは外付けストロボ８４０のＸｅ管８４１による所定の光量でのプリ発光を行い、プリ発光による被写体輝度を測光センサー８１０で測光する。そして、設定された絞り値、ＩＳＯ感度に応じた適正露光量に対する測光した被写体輝度の偏差を求め、その偏差の分を加算して本発光量を決定しストロボ撮影を行うものである。
【０００６】
この測光センサー８１０は、公知の対数圧縮アンプを介して被写体輝度を測光するものであり、図１１に示す撮像素子８０７で測光を行う場合と異なり、２０段程度のレンジを測光することが可能である。この測光センサー８１０は、極近傍のマクロ撮影から、ガイドナンバーぎりぎりの遠距離までを正確に測光することが可能であり、低い光量の内蔵ストロボから高い光量の外付けストロボまで正確に制御することが可能である。
【０００７】
図１０で説明したデジタル一眼レフカメラでは、撮影時はアイピース８０５を通して被写体を見る、いわゆる光学ファインダーモードを用いることが一般的であり、撮影後の画像は画像表示部８０８に表示することが一般的である。しかしながら、一眼レフカメラにおいても、画像表示部８０８を介して被写体を見る、いわゆる電子ビューファインダーモードが要求されてきた。
【０００８】
この要求に対応するには、図１２に示すように、主ミラー８０２は、画像表示部８０８によるライブビューを実現する為に、光束を所定の透過率で反射及び透過するハーフミラーで構成する。そして、主ミラー８０２を光軸に対して所定の角度に位置させるとともに、ＡＦに光束を導光するサブミラー８１１を退避させることにより、撮像素子８０７に常時撮影レンズ８２０を通した被写体光を結像することができる。よって、電子ビューファインダーモードでは、撮像素子８０７で撮像した画像を画像表示部８０８に表示すれば良い。
【０００９】
【特許文献１】特開平９−６１８９８号公報
【発明の開示】
【発明が解決しようとする課題】
【００１０】
しかしながら、図１２の状態でストロボを用いた撮影を開始した場合は、主ミラー８０２は、図１２のように光軸に対して所定の角度に位置することになる。よって、光束（被写体の光学像）は測光センサー８１０に導光するペンタプリズム８０４へ導光されないため、測光センサー８１０には被写体の光学像が入射せず、測光センサー８１０による被写体輝度の測光を行うことができない。
【００１１】
この場合、撮影時のミラー状態である図１１のミラーアップ状態で、カメラ下部に位置する集光レンズ８１５と測光センサー８１６で構成される測光手段によってシャッター閉状態で測光及び予備発光による測光を行い、本発光の発光光量を制御する必要があった。即ち、ファインダー部の測光センサー８１０とは別に測光センサー８１６を設ける必要があった。
【００１２】
本発明は上述の問題点にかんがみてなされたものであり、画像表示部に被写体を表示するファインダーモードでストロボ（閃光装置）を用いた撮影を行う場合においても、被写体輝度を測光する測光手段を複数設けること無く、適正な撮影を実現する撮像装置及びその制御方法を提供することを目的とする。
【課題を解決するための手段】
【００１３】
本発明の撮像装置は、被写体に対して閃光を発光する閃光手段と、被写体観察状態と撮影状態との間を移動するミラーと、前記ミラーが既定の位置にあるときに前記被写体の輝度を測光する測光手段と、前記ミラーの位置を検出するミラー位置検出手段と、前記閃光手段の撮影時の発光光量を制御する制御手段とを有し、前記制御手段は、前記ミラー位置検出手段よって前記ミラーが前記既定の位置にあることを検出した際に前記閃光手段を予備発光させ、前記閃光手段を予備発光させたときの前記測光手段による測光結果に基づいて、前記閃光手段の撮影時の発光光量を設定することを特徴とする。
【００１４】
本発明の撮像装置の制御方法は、被写体に対して閃光を発光する閃光手段と、被写体観察状態と撮影状態との間を移動するミラーと、前記ミラーが既定の位置にあるときに前記被写体の輝度を測光する測光手段と、前記ミラーの位置を検出するミラー位置検出手段と、前記閃光手段の撮影時の発光光量を制御する制御手段とを有する撮像装置の制御方法であって、前記ミラー位置検出手段よって前記ミラーが前記既定の位置にあることを検出する検出ステップと、前記ミラーが前記既定の位置にあることを検出した際に前記閃光手段を予備発光させる予備発光ステップと、前記閃光手段を予備発光させたときの前記測光手段によって測光動作を行う測光ステップと、前記測光ステップの測光結果に基づいて、前記閃光手段の撮影時の発光光量を設定する設定ステップとを有することを特徴とする。
【発明の効果】
【００１５】
本発明によれば、例えば、画像表示部に被写体を表示するファインダーモードでストロボ（閃光装置）を用いた撮影を行う場合であっても、被写体輝度を測光する測光手段を複数設けること無く、適正な撮影を行うことが可能となる。
【発明を実施するための最良の形態】
【００１６】
以下、本発明の実施の形態を添付図面に基づいて詳細に説明する。
図１は、本発明の実施形態に係るカメラシステム（撮像装置）の主として電気的な構成を示すブロック図である。
【００１７】
図１において、１００はカメラ本体である。
１は主ミラーであり、ファインダー観察状態では撮影光路内に斜設され、撮影状態では撮影光路外に退避する。また、主ミラー１は、ハーフミラーとなっており、撮影光路内に斜設されているときは、後述する焦点検出光学系へ被写体からの光線の約半分を透過させる。２はピント板であり、後述の撮影レンズ３０１で結像された被写体の光学像が投影される。
【００１８】
３はサブミラーであり、主ミラー１とともに、ファインダー観察状態では撮影光路内に斜設され、撮影状態では撮影光路外に退避する。このサブミラー３は、斜設された主ミラー１を透過した光線を下方に折り曲げて、後述の焦点検出部８の方に導くものである。この際、サブミラー３及び焦点検出部８は、焦点検出光学系を構成する。
【００１９】
４はファインダー光路変更用のペンタプリズムである。５はアイピースであり、撮影者はこの窓からピント板２を観察することで、撮影画面を観察することができる。このアイピース５により撮影画面を観察することができる状態を「光学ファインダーモード（ＯＶＦモード）」と称す。
【００２０】
６及び７は、それぞれ、ファインダー観察画面内の被写体輝度を測定するための測光レンズ及び測光センサーあり、測光センサー７は、内部に公知の対数圧縮回路を持っているので、その出力は対数圧縮されたものとなる。８は公知の位相差方式の焦点検出部である。
【００２１】
９はフォーカルプレーン型のシャッターであり、１４はＣＣＤ、ＣＭＯＳ等の撮像素子である。１１はフォトインタラプタやフォトリフレクター、或いはメカ的にＯＮ／ＯＦＦするＳＷ等で構成されるミラー位置検出部であり、主ミラー１が動作状態の時に所定の位置にあることを検出する。
【００２２】
１６は撮像素子１４のアナログ出力信号をディジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステムコントローラ５０により制御される。
【００２３】
２０は画像処理回路であり、Ａ／Ｄ変換器１６からのデータ或いはメモリ制御回路２２からのデータに対して所定の画素補間処理や色変換処理を行う。画像処理回路２０においては、撮像素子１４で撮像した画像データを用いて所定の演算処理を行い、得られた演算結果に基づいてＴＴＬ方式のＡＷＢ（オートホワイトバランス）処理も行っている。
【００２４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２５】
２４は画像表示メモリ、２６はＤ／Ａ変換器、２８はＴＦＴ・ＬＣＤ等から成る画像表示部であり、画像表示メモリ２４に書き込まれた表示用の画像データは、Ｄ／Ａ変換器２６を介して画像表示部２８により表示される。
【００２６】
撮影レンズ３０１からハーフミラーである主ミラー１を通過し、撮像素子１４に至る光束に対してサブミラー３が退避した位置に配置され、シャッター９が開いた状態で、撮像素子１４で逐次撮像した画像データを画像表示部２８に逐次表示するようにする。これにより、電子ファインダー機能を実現することが可能であり、この状態を「電子ビューファインダーモード（ＥＶＦモード）」と称す。
【００２７】
３０は撮影した静止画像データや動画像データを格納するためのメモリであり、所定枚数の静止画像データや所定時間の動画像データを格納するのに十分な記憶量を備えている。また、メモリ３０は、システムコントローラ５０の作業領域としても使用することが可能である。
【００２８】
３２は適応離散コサイン変換（ＡＤＣＴ）等により画像データを圧縮伸長する圧縮・伸長回路であり、メモリ３０に格納された画像データを読み込んで圧縮処理或いは伸長処理を行い、処理を終えた画像データをメモリ３０に書き込む。
【００２９】
４０はフォーカルプレーン型のシャッター９を制御するシャッター制御部（露光制御手段）であり、４１は主ミラー１をアップ、ダウンさせるためのモータと駆動回路からなミラー制御部である。５０はカメラ本体１００の全体を制御するシステムコントローラであり、５２はシステムコントローラ５０の動作用の定数、変数、プログラム等を記憶する第２のメモリである。
【００３０】
１２０はカメラ本体１００に内蔵され、被写体に対して閃光を発する内蔵ストロボ（内蔵閃光装置）である。
内蔵ストロボ１２０において、１２１はＸｅ管、１２２は反射笠、１２３はＸｅ管１２１の発光を制御するＩＧＢＴなどで構成された発光制御回路、１２４はＸｅ管１２１に給電する３００Ｖ程度の電圧を発生する充電回路である。
【００３１】
５４はシステムコントローラ５０でのプログラムの実行に応じて、文字、画像、音声等を用いてカメラの動作状態やメッセージ等を表示する、液晶表示装置やスピーカー等からなる表示部である。この表示部５４は、カメラ本体１００の操作部近辺の視認し易い位置に単数或いは複数個所設置され、例えばＬＣＤやＬＥＤ、発音素子等の組み合わせにより構成されている。また、表示部５４は、その一部の機能がピント板２の下部に構成されている。
【００３２】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示等がある。さらに、この他にも、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付け・時刻表示等がある。
【００３３】
また、表示部５４の表示内容のうち、ピント板２の下部に構成されたものに表示するものとしては、合焦表示、手振れ警告表示、フラッシュ充電表示、シャッタースピード表示、絞り値表示、露出補正表示等がある。
【００３４】
５６は電気的に消去・記録可能な不揮発性メモリであり、例えばＥＥＰＲＯＭ等が用いられる。６０、６２、６４、６６、６８及び７０は、システムコントローラ５０の各種の動作指示を入力するための操作手段であり、スイッチやダイアル、タッチパネル、視線検知によるポインティング、音声認識装置等の単数或いは複数の組み合わせで構成される。
【００３５】
ここで、これらの操作手段の具体的な説明を行う。
６０はモードダイアルスイッチであり、電源オフ、撮影モード、再生モード、消去モード及びＰＣ接続モード等の各機能モードを切り替える設定を行うことができる。６２は第１のシャッタースイッチＳＷ１であり、不図示のシャッターボタンの操作途中でＯＮとなり、ＡＦ（オートフォーカス）処理、ＡＥ（自動露出）処理等の動作開始を指示する。
【００３６】
６４は第２のシャッタースイッチＳＷ２であり、不図示のシャッターボタンの操作完了でＯＮとなる。この第２のシャッタースイッチＳＷ２（６４）は、露光処理、現像処理、記録処理という一連の処理の動作開始を指示する。ここでの具体的な露光処理としては、撮像素子１４から読み出した信号をＡ／Ｄ変換器１６、メモリ制御回路２２を介してメモリ３０に画像データを書き込む処理である。また、ここでの具体的な現像処理としては、画像処理回路２０やメモリ制御回路２２での演算を用いた処理である。また、ここでの具体的な記録処理としては、メモリ３０から画像データを読み出し、圧縮・伸長回路３２で圧縮を行い、記録媒体２００に画像データを書き込む処理である。
【００３７】
６６はファインダーモード設定スイッチであり、撮影時におけるファインダーモードとして、前述の光学ファインダー（ＯＶＦ）モードと電子ビューファインダー（ＥＶＦ）モードとを切り換えるためのものである。この機能により、光学ファインダーを用いて撮影を行う際に、ＴＦＴ・ＬＣＤ等から成る画像表示部２８への電流供給を遮断することにより、省電力を図ることが可能となる。
【００３８】
６８はクイックレビューＯＮ／ＯＦＦスイッチであり、撮影直後に撮影した画像データを自動再生するクイックレビュー機能を設定する。
【００３９】
７０は各種ボタンやタッチパネル等からなる操作部である。
この操作部７０には、メニューボタン、セットボタン、マクロボタン、マルチ画面再生改ページボタン、単写／連写／セルフタイマー切り替えボタン、メニュー移動＋（プラス）ボタン、メニュー移動−（マイナス）ボタン等がある。また、操作部７０には、その他にも、再生画像移動＋（プラス）ボタン、再生画像−（マイナス）ボタン、撮影画質選択ボタン、露出補正ボタン、日付／時間設定ボタン等が設けられている。
【００４０】
８０は電源制御部であり、電池検出回路、ＤＣ−ＤＣコンバータ、通電するブロックを切り替えるスイッチ回路等により構成されている。電源制御部８０は、電池等の電源８６の装着の有無、電池の種類、電池残量の検出を行い、検出結果及びシステムコントローラ５０の指示に基づいて内部のＤＣ−ＤＣコンバータを制御し、必要な電圧を必要な期間、記録媒体２００を含む各部へ供給する。
【００４１】
８２及び８４はコネクタであり、８６はアルカリ電池やリチウム電池等の一次電池やＮｉＣｄ電池やＮｉＭＨ電池、Ｌｉ電池等の二次電池、ＡＣアダプター等からなる電源部である。９０はメモリカードやハードディスク等の記録媒体２００とのインタフェース（Ｉ／Ｆ）である。９２はメモリカードやハードディスク等の記録媒体２００と接続を行うコネクタ、９８はコネクタ９２に記録媒体２００が装着されているか否かを検知する記録媒体着脱検知部である。このインターフェース９０及びコネクタ９２としては、ＰＣＭＣＩＡカードやＣＦ（コンパクトフラッシュ(登録商標)）カード等の規格に準拠したものを用いて構成している。
【００４２】
１１０は通信部であり、ＲＳ２３２ＣやＵＳＢ、ＩＥＥＥ１３９４、Ｐ１２８４、ＳＣＳＩ、モデム、ＬＡＮ、無線通信等の各種通信機能を有する。１１２は通信部１１０によりカメラ本体１００を他の機器と接続するコネクタ、或いは無線通信の場合はアンテナである。
【００４３】
２００はメモリカードやハードディスク等の記録媒体である。
記録媒体２００は、半導体メモリや磁気ディスク等から構成される記録部２０２、カメラ本体１００とのインタフェース（Ｉ／Ｆ）２０４、カメラ本体１００と接続を行うコネクタ２０６を備えている。
【００４４】
３９９は後述のレンズ装置３００とカメラ本体１００側のシステムコントローラ５０との通信を行う通信線であり、４９９は後述の外付けストロボ４００とカメラ本体１００側のシステムコントローラ５０との通信を行う通信線である。
【００４５】
次に、レンズ装置３００の説明をする。
３０１は被写体の光学像を内部に通過させ、撮像素子１４に結像する為の撮影レンズである。３０２は撮影レンズ３０１を光軸方向に駆動して、ピントを合わせるためのモーター及びモーター駆動回路からなるフォーカス制御部である。
【００４６】
３０３は撮影レンズ３０１の位置から被写体までの距離を検出する為のエンコーダからなる被写体距離検出部である。３０４はシャッター９との組み合わせで撮影時の撮像素子１４への露光量を調整する為の絞りであり、３０５は絞り３０４を駆動するモーター及びモーター駆動回路からなる絞り制御部である。３０６は前述のフォーカス制御部３０２や絞り制御部３０５などを制御するとともに、カメラ本体１００側のシステムコントローラ５０との通信を制御するレンズ制御マイコンである。
【００４７】
また、レンズ装置３００は、レンズマウント３１０を介して、着脱可能にカメラ本体１００に装着される。また、電気的にはシリアル通信線と電源部からなるコネクタ３１１でカメラ本体１００に接続される。
【００４８】
次に、カメラ本体１００に外付けされ、被写体に対して閃光を発する外付けストロボ（外付け閃光装置）４００の説明をする。
４０１はＸｅ管、４０２は反射笠、４０３はＸｅ管４０１の発光を制御するＩＧＢＴなどで構成された発光制御回路、４０４はＸｅ管４０１に給電する３００Ｖ程度の電圧を発生する充電回路である。また、４０５は充電回路４０４に給電する電池などの電源部、４０６は外付けストロボ４００の発光、充電などを制御するとともに、カメラ本体１００側のシステムコントローラ５０との通信を制御するストロボ制御マイコンである。
【００４９】
また、外付けストロボ４００は、ホットシュー４１０を介して、着脱可能にカメラ本体１００に装着される。また、電気的にはシリアル通信線とＸ端子（発光端子）からなるコネクタ４１１でカメラ本体１００に接続される。
【００５０】
図１０と図１において、図１０の８０１は図１のカメラ本体１００、図１０の８０２は図１の主ミラー１、図１０の８０３は図１のピント板２、図１０の８０４は図１のペンタプリズム４、図１０の８０５は図１のアイピース５に相当するものである。また、図１０の８０６は図１のシャッター９、図１０の８０７は図１の撮像素子１４、図１０の８０８は図１の画像表示部２８、図１０の８０９は図１の測光レンズ６、図１０の８１０は図１の測光センサー７に相当するものである。また、図１０の８１１は図１のサブミラー３、図１０の８２０は図１の撮影レンズ３０１、図１０の８２１は図１の絞り３０４に相当するものである。また、図１０の８３０は図１の内蔵ストロボ１２０、図１０の８３１は図１のＸｅ管１２１、図１０の８３２は図１の反射笠１２２に相当するものである。また、図１０の８４０は図１の外付けストロボ４００、図１０の８４１は図１のＸｅ管４０１、図１０の８４２は図１の反射笠４０２に相当するものである。以上に示すこれらのものは、共通の物である。
【００５１】
図１０、図１１及び図１２は、カメラシステム（撮像装置）におけるミラーの動作状態を示す図である。具体的に、図１０には、撮影レンズ８２０、主ミラー８０２の反射、ピント板８０３、ペンタプリズム８０４、ファインダー光学系であるアイピース８０５の光束からなる光学ファインダーモード（ＯＶＦモード）時の状態を示している。また、図１２は、撮影レンズ８２０、主ミラー８０２の透過、シャッター８０６の開状態、撮像素子８０７の光束からなる電子ビューファインダーモード（ＥＶＦモード）時の状態を示している。図１１は、撮影レンズ８２０、シャッター８０６の開状態、撮像素子８０７の光束からなる撮影時の状態を示している。
【００５２】
次に、図２乃至図７を参照して、本発明の実施形態に係るカメラシステム（撮像装置）の動作を説明する。
図２及び図３は、本発明の実施形態に係るカメラシステム（撮像装置）の制御方法を示すフローチャートである。以下、同図を用いてシステムコントローラ５０による制御動作を説明する。
【００５３】
電池交換等の電源投入により、システムコントローラ５０は、フラグや制御変数等を初期化して初期設定を行うと共に（ステップＳ１０１）、画像表示部２８の画像表示をＯＦＦ状態に初期設定する（ステップＳ１０２）。
【００５４】
続いて、システムコントローラ５０は、モードダイアル６０の設定を判断する（ステップＳ１０３）。この判断の結果、モードダイアル６０が電源ＯＦＦに設定されていたならば、システムコントローラ５０は、終了処理を行った後（ステップＳ１０５）、ステップＳ１０３に戻る。具体的な終了処理としては、各表示部の表示を終了状態にする、フラグや制御変数等を含む必要なパラメータや設定値、設定モードを不揮発性メモリ５６に記録する、電源制御部８０により画像表示部２８を含むカメラ本体各部の不要な電源を遮断する等がある。
【００５５】
また、ステップＳ１０３の判断の結果、モードダイアル６０が撮影モードに設定されていたならば、ステップＳ１０６に進む。また、ステップＳ１０３の判断の結果、モードダイアル６０がその他のモードに設定されていたならば、システムコントローラ５０は、選択されたモードに応じた処理を実行し（ステップＳ１０４）、当該処理の終了後、ステップＳ１０３に戻る。
【００５６】
続いて、システムコントローラ５０は、電源制御部８０の検出により電池等により構成される電源部８６の残容量や動作情況がカメラ本体１００の動作に問題があるか否かを判断する（ステップＳ１０６）。この判断の結果、カメラ本体１００の動作に問題があるならば、表示部５４を用いて画像や音声により所定の警告表示を行った後に（ステップＳ１０８）、ステップＳ１０３に戻る。
【００５７】
ステップＳ１０６の判断の結果、電源部８６の残容量や動作情況がカメラ本体１００の動作に問題が無いならば、ステップＳ１０７に進む。ステップＳ１０７において、システムコントローラ５０は、記録媒体２００の動作状態がカメラ本体１００の動作、特に記録媒体２００に対する画像データの記録再生動作に問題があるか否かを判断する。この判断の結果、記録媒体２００の動作状態に問題があるならば、表示部５４を用いて画像や音声により所定の警告表示を行った後に（ステップＳ１０８）、ステップＳ１０３に戻る。
【００５８】
一方、ステップＳ１０７の判断の結果、記録媒体２００の動作状態に問題が無いならば、表示部５４を用いて画像や音声によりカメラ本体１００の各種設定状態の表示を行う（ステップＳ１０９）。なお、画像表示部２８の画像表示がＯＮであったならば、画像表示部２８も用いて画像や音声によりカメラ本体１００の各種設定状態の表示を行う。
【００５９】
続いて、システムコントローラ５０は、クイックレビューＯＮ／ＯＦＦスイッチ６８がＯＮ状態であるかＯＦＦ状態であるかを判断する（ステップＳ１１０）。この判断の結果、クイックレビューＯＮに設定されていたならば、クイックレビューフラグを設定し（ステップＳ１１１）、一方、クイックレビューＯＦＦに設定されていたならば、クイックレビューフラグを解除する（ステップＳ１１２）。なお、クイックレビューフラグの状態は、システムコントローラ５０の内部メモリ或いは第２のメモリ５２に記憶される。
【００６０】
ステップＳ１１１又はステップＳ１１２の終了後、続いて、システムコントローラ５０は、ファインダーモード設定スイッチ６６により設定されているファインダーモードが如何なるモードであるかを判断する（ステップＳ１１３）。
【００６１】
ステップＳ１１３での判断の結果、ファインダーモード設定スイッチ６６により電子ビューファインダーモード（ＥＶＦモード）が設定されていたならば、システムコントローラ５０は、ＥＶＦフラグを設定する（ステップＳ１１４）。続いて、システムコントローラ５０は、当該カメラの状態を電子ビューファインダーモード（ＥＶＦモード）に設定する（ステップＳ１１５）。具体的に、システムコントローラ５０は、図１０に示すＯＶＦモード状態からミラー制御部４１、シャッター制御部４０により、主ミラー１及びシャッター９を動作させ、図１１に示すＥＶＦモードの状態にして、画像表示部２８の画像表示をＯＮ状態に設定する。続いて、システムコントローラ５０は、撮像した画像データを逐次表示するスルー表示状態に設定して（ステップＳ１１６）、図３のステップＳ１１９に進む。
【００６２】
ステップＳ１１６のスルー表示状態においては、画像表示メモリ２４に逐次書き込まれたデータを、メモリ制御回路２２及びＤ／Ａ変換器２６を介して画像表示部２８により逐次表示することにより、電子ファインダー機能を実現している。ここで、画像表示メモリ２４には、撮像素子１４、Ａ／Ｄ変換器１６、画像処理回路２０及びメモリ制御回路２２を介して、逐次書き込まれたデータが記憶される。
【００６３】
一方、ステップＳ１１３での判断の結果、ファインダーモード設定スイッチ６６により光学ファインダーモード（ＯＶＦモード）が設定されていたならば、システムコントローラ５０は、ＥＶＦフラグを解除する（ステップＳ１１７）。続いて、システムコントローラ５０は、画像表示部２８の画像表示をＯＦＦ状態にする等の設定を行って、当該カメラの状態を光学ファインダーモード（ＯＶＦモード）に設定する（ステップＳ１１８）。この後、図３のステップＳ１１９に進む。
【００６４】
光学ファインダーモード（ＯＶＦモード）の場合は、画像表示部２８による電子ファインダー機能を使用せず、光学ファインダー（アイピース５）を用いて撮影を行う。この場合、電力消費量の大きい画像表示部２８やＤ／Ａ変換器２６等の消費電力を削減することが可能となる。なお、ＥＶＦフラグの状態は、システムコントローラ５０の内部メモリ或いは第２のメモリ５２に記憶される。
【００６５】
ステップＳ１１６又はステップＳ１１８の終了後、続いて、システムコントローラ５０は、第１のシャッタースイッチＳＷ１（６２）の操作状態、即ち、第１のシャッタースイッチＳＷ１（６２）がＯＮであるかＯＦＦであるかを判断する（ステップＳ１１９）。この判断の結果、第１のシャッタースイッチＳＷ１（６２）がＯＦＦであるならば、ステップＳ１０３に戻る。
【００６６】
一方、ステップＳ１１９での判断の結果、第１のシャッタースイッチＳＷ１（６２）がＯＮであるならば、続いて、システムコントローラ５０は、内部メモリ或いは第２のメモリ５２に記憶されているＥＶＦフラグの設定状態を判断する（ステップＳ１２０）。この判断の結果、ＥＶＦフラグが設定（ＥＶＦフラグがＯＮ）されていたならば、システムコントローラ５０は、画像表示部２８の表示状態をフリーズ表示状態に設定して（ステップＳ１２１）、ステップＳ１２２に進む。
【００６７】
ステップＳ１２１のフリーズ表示状態においては、撮像素子１４、Ａ／Ｄ変換器１６、画像処理回路２０及びメモリ制御回路２２を介した画像表示メモリ２４への画像データの書き換えを禁止する。そして、画像表示メモリ２４に最後に書き込まれた画像データを、メモリ制御回路２２及びＤ／Ａ変換器２６を介して画像表示部２８により表示することにより、フリーズした映像を電子ファインダーに表示する。
【００６８】
一方、ステップＳ１２０での判断の結果、ＥＶＦフラグが解除（ＥＶＦフラグがＯＦＦ）されていたならば、ステップＳ１２２に進む。
【００６９】
続いて、システムコントローラ５０は、測距処理を行って撮影レンズ３０１の焦点を被写体に合わせ、次いで測光処理を行って絞り値及びシャッター時間を決定する（ステップＳ１２２）。この測光・測距処理のステップ（ステップＳ１２２）の詳細については、図４を用いて後述する。
【００７０】
測光・測距処理のステップ（ステップＳ１２２）の終了後、続いて、システムコントローラ５０は、内部メモリ或いは第２のメモリ５２に記憶されているＥＶＦフラグの設定状態を判断する（ステップＳ１２３）。この判断の結果、ＥＶＦフラグが設定（ＥＶＦフラグがＯＮ）されていたならば、システムコントローラ５０は、画像表示部２８の表示状態をスルー表示状態に設定して（ステップＳ１２４）、ステップＳ１２５に進む。なお、ステップＳ１２４でのスルー表示状態は、ステップＳ１１６でのスルー状態と同じ動作状態である。
【００７１】
一方、ステップＳ１２３での判断の結果、ＥＶＦフラグが解除（ＥＶＦフラグがＯＦＦ）されていたならば、ステップＳ１２５に進む。
【００７２】
続いて、システムコントローラ５０は、第２のシャッタースイッチＳＷ２（６４）の操作状態、即ち、第２のシャッタースイッチＳＷ２（６４）がＯＮであるかＯＦＦであるかを判断する（ステップＳ１２５）。
【００７３】
ステップＳ１２５の判断の結果、第２のシャッタースイッチＳＷ２（６４）がＯＦＦであるならば、システムコントローラ５０は、第１のシャッタースイッチＳＷ１（６２）がＯＮであるかＯＦＦであるかを判断する（ステップＳ１２６）。ステップＳ１２６の判断の結果、第１のシャッタースイッチＳＷ１（６２）がＯＮであるならばステップＳ１２５に戻り、第１のシャッタースイッチＳＷ１（６２）がＯＦＦであるならばステップＳ１０３に戻る。
【００７４】
一方、ステップＳ１２５の判断の結果、第２のシャッタースイッチＳＷ２（６４）がＯＮであるならば、システムコントローラ５０は、内部メモリ或いは第２のメモリ５２に記憶されているＥＶＦフラグの設定状態を判断する（ステップＳ１２７）。この判断の結果、ＥＶＦフラグが設定（ＥＶＦフラグがＯＮ）されていたならば、システムコントローラ５０は、画像表示部２８の表示状態を固定色表示状態に設定して（ステップＳ１２８）、ステップＳ１２９に進む。
【００７５】
ステップＳ１２８の固定色表示状態においては、撮像素子１４、Ａ／Ｄ変換器１６、画像処理回路２０及びメモリ制御回路２２を介して画像表示メモリ２４に書き込まれた撮影画像データの代わりに、差し替えた固定色の画像データを、メモリ制御回路２２及びＤ／Ａ変換器２６を介して画像表示部２８により表示することにより、固定色の映像を電子ファインダーに表示する。
【００７６】
一方、ステップＳ１２７での判断の結果、ＥＶＦフラグが解除（ＥＶＦフラグがＯＦＦ）されていたならば、ステップＳ１２９に進む。
【００７７】
続いて、システムコントローラ５０は、撮影した画像データをメモリ３０に書き込む露光処理、及び、メモリ３０に書き込まれた画像データを読み出して各種の画像処理を行う現像処理からなる撮影処理を実行する（ステップＳ１２９）。ここで、露光処理を行う撮影画像データは、撮像素子１４、Ａ／Ｄ変換器１６、画像処理回路２０及びメモリ制御回路２２を介して、或いはＡ／Ｄ変換器１６から直接メモリ制御回路２２を介して入力されるものである。また、現像処理は、メモリ制御回路２２、そして必要に応じて画像処理回路２０を用いて行われる。この上述した撮影処理のステップ（ステップＳ１２９）の詳細については、図５を用いて後述する。
【００７８】
続いて、システムコントローラ５０は、内部メモリ或いは第２のメモリ５２に記憶されるクイックレビューフラグの設定状態を判断する（ステップＳ１３０）。この判断の結果、クイックレビューフラグが設定（クイックレビューフラがＯＮ）されていたならば、システムコントローラ５０は、画像表示部２８の画像表示をＯＮ状態に設定し（ステップＳ１３１）、クイックレビュー表示を行う（ステップＳ１３２）。この場合は、撮影中も画像表示部２８が電子ファインダーとして常に表示された状態であり、撮影直後のクイックレビュー表示も行われる。その後、ステップＳ１３３に進む。
【００７９】
一方、ステップＳ１３０での判断の結果、クイックレビューフラグが解除（クイックレビューフラグがＯＦＦ）されていたならば、ステップＳ１３３に進む。
【００８０】
続いて、システムコントローラ５０は、メモリ３０に書き込まれた撮影画像データを読み出して、各種の画像処理を行った後、または、画像圧縮処理を行った後、記録媒体２００へ画像データの書き込みを行う記録処理を実行する（ステップＳ１３３）。この際、各種の画像処理は、メモリ制御回路２２、そして必要に応じて画像処理回路２０を用いて行われる。また、画像圧縮処理は、圧縮・伸長回路３２を用いて設定したモードに応じた処理である。この上述した記録処理のステップ（ステップＳ１３３）の詳細については、図６を用いて後述する。
【００８１】
記録処理のステップＳ１３３が終了した後、続いて、システムコントローラ５０は、第２のシャッタースイッチＳＷ２（６４）の操作状態、即ち、第２のシャッタースイッチＳＷ２（６４）がＯＮであるかＯＦＦであるかを判断する（ステップＳ１３４）。
【００８２】
ステップＳ１３４の判断の結果、第２のシャッタースイッチＳＷ２（６４）がＯＮであるならば、システムコントローラ５０は、内部メモリ或いは第２のメモリ５２に記憶されている連写フラグの設定状態を判断する（ステップＳ１３５）。このステップＳ１３５の判断の結果、連写フラグが設定されていたならば、連続して撮影を行うためにステップＳ１２９に戻り、次の撮影を行う。
【００８３】
一方、ステップＳ１３５の判断の結果、連写フラグが設定されていないならば、ステップＳ１３４に戻り、第２のシャッタースイッチＳＷ２（６４）が放される（ＯＦＦとなる）まで、現在の処理を繰り返す。
【００８４】
このように、本実施形態によれば、撮影直後にクイックレビュー表示を行う動作設定状態の場合に、記録処理のステップＳ１３３が終了した際に、第２のシャッタースイッチＳＷ２（６４）が押された（ＯＮとなる）状態であったならば、第２のシャッタースイッチＳＷ２（６４）が放されるまで、画像表示部２８におけるクイックレビュー表示を継続して行うため、撮影画像の確認を入念に行うことが可能となる。
【００８５】
ステップＳ１３４の判断の結果、記録処理のステップＳ１３３が終了した際に第２のシャッタースイッチＳＷ２（６４）が放された（ＯＦＦとなる）状態であった、或いは、第２のシャッタースイッチＳＷ２（６４）を押し続けてクイックレビュー表示を継続して撮影画像の確認を行った後に第２のシャッタースイッチＳＷ２（６４）が放された（ＯＦＦとなる）状態であったならば、続いて、システムコントローラ５０は、所定のミニマムレビュー時間が経過したか否かを判断する（ステップＳ１３６）。この判断の結果、所定のミニマムレビュー時間が経過していないならば、所定のミニマムレビュー時間が経過するまで、ステップＳ１３６で待機する。一方、ステップＳ１３６の判断の結果、所定のミニマムレビュー時間が経過したならば、ステップＳ１３７に進む。
【００８６】
続いて、システムコントローラ５０は、内部メモリ或いは第２のメモリ５２に記憶されているＥＶＦフラグの設定状態を判断する（ステップＳ１３７）。この判断の結果、ＥＶＦフラグが設定（ＥＶＦフラグがＯＮ）されていたならば、画像表示部２８の表示状態をスルー表示状態に設定して（ステップＳ１３８）、ステップＳ１４０に進む。この場合、画像表示部２８でのクイックレビュー表示によって撮影画像を確認した後に、次の撮影のために撮像した画像データを逐次表示するスルー表示状態にすることができる。
【００８７】
一方、ステップＳ１３７での判断の結果、ＥＶＦフラグが解除（ＥＶＦフラグがＯＦＦ）されていたならば、画像表示部２８の画像表示をＯＦＦ状態に設定して（ステップＳ１３９）、ステップＳ１４０に進む。この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【００８８】
ステップＳ１３８又はステップＳ１３９の終了後、続いて、システムコントローラ５０は、第１のシャッタースイッチＳＷ１（６２）の操作状態、即ち、第１のシャッタースイッチＳＷ１（６２）がＯＮであるかＯＦＦであるかを判断する（ステップＳ１４０）。この判断の結果、第１のシャッタースイッチＳＷ１（６２）がＯＮであるならば、システムコントローラ５０は、ステップＳ１２５に戻って、次の撮影に備える。一方、ステップＳ１４０の判断の結果、第１のシャッタースイッチＳＷ１（６２）がＯＦＦであるならば、システムコントローラ５０は、一連の撮影動作を終えて、ステップＳ１０３に戻る。
【００８９】
次に、図３のステップＳ１２２における測光・測距処理の詳細について説明する。
図４は、図３のステップＳ１２２における測光・測距処理の詳細な処理を示すフローチャートである。
【００９０】
まず、システムコントローラ５０は、内部メモリ或いは第２のメモリ５２に記憶されているＥＶＦフラグの設定状態に基づいて、ＥＶＦフラグが設定（ＥＶＦフラグがＯＮ）されているか否かを判断する（ステップＳ２００）。
【００９１】
ステップＳ２００の判断の結果、ＥＶＦフラグが設定（ＥＶＦフラグがＯＮ）されていたならば、続いて、システムコントローラ５０は、測距が問題ないか否かを判断する（ステップＳ２０１）。この場合、測距が問題ないか否かの判断は、図１２に示す主ミラー８０２からの反射により導かれた光線によりＡＦミラー８１２、ＡＦレンズ８１３及びＡＦセンサー８１４からなる焦点検出部８で検出されたピントずれ量が、合焦範囲内であるか否かにより行う。
【００９２】
ステップＳ２０１の判断の結果、測距が問題である（合焦範囲外）ならば、続いて、システムコントローラ５０は、レンズ制御マイコン３０６に対してフォーカス駆動を指令し、ＡＦ制御を行う（ステップＳ２０２）。この際、レンズ制御マイコン３０６は、システムコントローラ５０から指令されたフォーカス駆動量、或いは、フォーカス駆動速度に従い、フォーカス制御部３０２を制御し、撮影レンズ３０１を光軸方向に駆動する。その後、合焦判定を行うために、ステップＳ２０１に戻る。
【００９３】
一方、ステップＳ２０１の判断の結果、測距が問題ない（合焦範囲内）ならば、システムコントローラ５０は、撮像素子１４から電荷信号を読み出し、Ａ／Ｄ変換器１６を介して画像処理回路２０に撮影画像データを逐次読み込む制御を行う（ステップＳ２０３）。この逐次読み込まれた画像データを用いて、画像処理回路２０は、ＴＴＬ（スルー・ザ・レンズ）方式のＡＥ（自動露出）処理に用いる所定の演算を行っている。なお、ここでの各処理は、撮影した全画素数のうちの必要に応じた特定の部分を必要個所分切り取って抽出し、演算に用いている。これにより、ＴＴＬ方式のＡＥ、ＡＷＢの各処理において、中央重点モード、平均モード、評価モードの各モードの異なるモード毎に最適な演算を行うことが可能となる。
【００９４】
続いて、システムコントローラ５０は、画像処理回路２０での前述の演算結果を用いて、露出（ＡＥ）が問題ないか否かを判断する（ステップＳ２０４）。この判断の結果、露出（ＡＥ）が問題あるならば、絞り制御部３０５及び撮像素子１４の電子シャッターの組み合わせでＡＥ制御を行う（ステップＳ２０５）。なお、システムコントローラ５０からのレンズ装置３００への絞り駆動指令は、カメラ本体１００とレンズ装置３００間の通信線３９９を介して、公知のシリアル通信にて指令される。続いて、システムコントローラ５０は、画像処理回路２０に対してホワイトバランス（ＡＷＢ）の制御を行う（ステップＳ２０６）。その後、ステップＳ２０４に戻る。
【００９５】
一方、ステップＳ２０４の判断の結果、露出（ＡＥ）が問題ないならば、システムコントローラ５０は、測定データ及び設定パラメータを、内部メモリ或いは第２のメモリ５２に記憶する。続いて、システムコントローラ５０は、画像処理回路２０での演算結果及びＡＥ制御で得られた測定データを用いて、ホワイトバランス（ＡＷＢ）が問題ないか否かを判断する（ステップＳ２０７）。
【００９６】
ステップＳ２０７の判断の結果、ホワイトバランス（ＡＷＢ）が問題ある場合には、ステップＳ２０６に戻り、システムコントローラ５０は、画像処理回路２０を用いて色処理のパラメータを調節してＡＷＢ制御を行う。一方、ステップＳ２０７の判断の結果、ホワイトバランス（ＡＷＢ）が問題ないならば、システムコントローラ５０は、測定データ及び設定パラメータを内部メモリ或いは第２のメモリ５２に記憶し、当該測光・測距処理を終了する。
【００９７】
一方、ステップＳ２００の判断の結果、ＥＶＦフラグが設定（ＥＶＦフラグがＯＮ）されていない場合、即ち、光学ファインダーモードの場合は、続いて、システムコントローラ５０は、測距が問題ないか否かを判断する（ステップＳ２１０）。このステップＳ２１０の測距が問題ないか否かの判断は、図１０に示すサブミラー８１１からの反射により導かれた光線により前述のＴＴＬ位相差方式の焦点検出部８で検出されたピントずれ量が、合焦範囲内であるか否かにより行う。
【００９８】
ステップＳ２１０の判断の結果、測距が問題である（合焦範囲外）ならば、続いて、システムコントローラ５０は、レンズ制御マイコン３０６に対してフォーカス駆動を指令し、ＡＦ制御を行う（ステップＳ２１１）。この際、レンズ制御マイコン３０６は、システムコントローラ５０から指令されたフォーカス駆動量、或いは、フォーカス駆動速度に従い、フォーカス制御部３０２を制御し、撮影レンズ３０１を光軸方向に駆動する。その後、合焦判定を行うために、ステップＳ２１０に戻る。
【００９９】
一方、ステップＳ２１０の判断の結果、測距が問題ない（合焦範囲内）ならば、システムコントローラ５０は、測光センサー７による定常光の測光を行う（ステップＳ２１２）。続いて、システムコントローラ５０は、ステップＳ２１２の測光結果と、設定されているＩＳＯ感度に応じて、露出値を演算する（ステップＳ２１３）。その後、当該測光・測距処理を終了する。
【０１００】
次に、図３のステップＳ１２９における撮影処理の詳細について説明する。
図５−１、図５−２及び図６は、図３のステップＳ１２９における撮影処理の詳細な処理を示すフローチャートである。
【０１０１】
まず、システムコントローラ５０は、内部メモリ或いは第２のメモリ５２に記憶されているＥＶＦフラグの設定状態に基づいて、ＥＶＦフラグが設定（ＥＶＦフラグがＯＮ）されているか否かを判断する（図５−１のステップＳ３００）。この判断の結果、ＥＶＦフラグが設定（ＥＶＦフラグがＯＮ）されていないならば、図５−２のステップＳ３３１に進む。
【０１０２】
一方、ステップＳ３００の判断の結果、ＥＶＦフラグが設定（ＥＶＦフラグがＯＮ）されていたならば、システムコントローラ５０は、シャッター制御部４０を駆動して、シャッター９を閉状態にする（ステップＳ３０１）。
【０１０３】
続いて、システムコントローラ５０は、カメラの状態を、図１２に示すＥＶＦモードの状態から、図１１に示す撮影動作モード状態であるミラーアップ状態になるように制御を行う（ステップＳ３０２）。具体的には、システムコントローラ５０は、ミラー制御部４１及びシャッター制御部４０を制御することにより、主ミラー１（主ミラー８０２）及びシャッター９（シャッター８０６）を動作させ、ミラーアップ状態とする。
【０１０４】
続いて、システムコントローラ５０は、ストロボを用いたフラッシュ撮影を行うか否かを判断する（ステップＳ３０３）。このステップＳ３０３の判断は、図３のステップＳ１２２において行った測光結果に基づいて、或いは、ストロボの撮影モード（フラッシュモード）が設定されているか否かに基づいて行われる。ステップＳ３０３の判断の結果、フラッシュ撮影を行わない場合は、ステップＳ３１８に進む。
【０１０５】
一方、ステップＳ３０３の判断の結果、フラッシュ撮影を行う場合は、続いて、システムコントローラ５０は、主ミラー１（主ミラー８０２）が所定の位置（既定の位置）に配置されているか否かを判断する（ステップＳ３０４）。具体的に、システムコントローラ５０は、ステップＳ３０２で開始したミラーアップ動作中において、ミラー位置検出部１１により検出される主ミラー１（主ミラー８０２）に位置情報に基づいて、所定の位置に配置されているか否かを判断する。この所定の位置（既定の位置）は、図１２のＥＶＦモードの主ミラー８０２の位置からミラーアップ動作を開始して、図１０に示すＯＶＦモードでの主ミラー８０２の位置に達する所定量手前の図１３に示す主ミラー８０２の［１］に示す位置である。ステップＳ３０４の判断の結果、主ミラー１（主ミラー８０２）が所定の位置に配置されていないならば、ステップＳ３０２に戻る。
【０１０６】
一方、ステップＳ３０４の判断の結果、主ミラー１（主ミラー８０２）が所定の位置に配置されているならば、続いて、システムコントローラ５０は、発光制御を行うストロボが外付けストロボ４００であるか否かを判断する（ステップＳ３０５）。ここで、本実施形態においては、発光制御を行うためのストロボとして、外付けストロボ４００及び内蔵ストロボ１２０が設けられている。
【０１０７】
ステップＳ３０５の判断の結果、発光制御を行うストロボが外付けストロボ４００でない、即ち、内蔵ストロボ１２０であったならば、続いて、システムコントローラ５０は、測光センサー７による定常光の測光を開始する（ステップＳ３０６）。この時の主ミラー８０２（主ミラー１）の位置は、ＥＶＦモード状態であるため図１３の［１］に示す位置であり、ＯＶＦモード状態の主ミラーの位置［２］に対して、主ミラーが立った状態に位置している。
【０１０８】
この状態における測光センサー７の測光範囲を、図８（ａ）をもとに説明する。
図８（ａ）の太枠は画角５０１を示しており、５０２は画角５０１に対して３５分割された測光センサー７（測光センサー８１０）のセンサー部の位置を示している。図１０に示すＯＶＦモードの場合は、図１３の［２］′で示す光束である。即ち、測光範囲は、画角５０１に対して測光センサー７（測光センサー８１０）のセンサー部「１８」を中心として測光が行われる。
【０１０９】
これに対して、ステップＳ３０４において検出された主ミラーの位置は、前述の通り、ＯＶＦモードに対して立った状態に位置している。よって、光束は、図１３の［１］′に示すような光束となり、その像は、測光レンズ８０９（測光レンズ６）を通して測光センサー８１０（測光センサー７）に結像され、その画角は、図８（ａ）の点線枠に示す画角５０３となる。即ち、この場合、測光範囲は、画角５０３に対して測光センサー７（測光センサー８１０）のセンサー部「１１」を中心とした測光が行われる。よって、ステップＳ３０６の定常光の測光は、測光センサー７（測光センサー８１０）のセンサー部「１」〜「２１」までの測光エリアを測光の有効エリアとして光電変換が行われ、所定時間積分することで測光が行われる。
【０１１０】
続いて、システムコントローラ５０は、ステップＳ３０６の測光結果により得られた測光センサー７の電気信号に対して、当該システムコントローラ５０内の不図示のＡ／Ｄ変換器によるＡ／Ｄ変換を開始する（ステップＳ３０７）。続いて、システムコントローラ５０は、ステップＳ３０７のＡ／Ｄ変換処理が完了したか否かを判断する（ステップＳ３０８）。この判断の結果、ステップＳ３０７のＡ／Ｄ変換処理が完了していないならば、ステップＳ３０７に戻る。一方、ステップＳ３０８の判断の結果、ステップＳ３０７のＡ／Ｄ変換処理が完了したならば、システムコントローラ５０は、ステップＳ３０６の測光結果に基づく発光信号を内蔵ストロボ１２０に出力する（ステップＳ３０９）。これにより、内蔵ストロボ１２０からステップＳ３０６の測光結果に基づく所定光量のプリ発光（予備発光）が行われる。
【０１１１】
続いて、システムコントローラ５０は、その内蔵ストロボ１２０による所定のプリ発光により照射された閃光における被写体からの反射光の測光を測光センサー７で行う制御をする（ステップＳ３１４）。このプリ発光時の主ミラー８０２（主ミラー１）の状態は、撮影モードのミラーアップ状態に動作中である。即ち、定常光で行った測光時の主ミラーの位置に対して、図１３の［３］で示す寝ている状態の所定量撮影時（ミラーアップ時）よりに位置している。よって、光束は、図１３の［３］′示す光束となり、その画角は、図８（ｂ）の点線枠で示す画角５０４となる。この場合、測光範囲は、画角５０４に対して測光センサー７（測光センサー８１０）のセンサー部「２５」を中心とした測光が行われる。よって、ステップＳ３１４の被写体反射光の測光は、測光センサー７のセンサー部「１５」〜「３５」までの測光エリアを測光の有効エリアとして光電変換が行われ、所定時間積分することでプリ発光時の測光が行われる。即ち、測光センサー７（測光センサー８１０）において、定常光測光時の測光エリアとしてはセンサー部「１」〜「２１」で行い、プリ発光時の測光エリアとしてはセンサー部「１５」〜「３５」で行っている。
【０１１２】
続いて、システムコントローラ５０は、ステップＳ３１４の測光結果により得られた測光センサー７の電気信号に対して、当該システムコントローラ５０内の不図示のＡ／Ｄ変換器によるＡ／Ｄ変換を開始する（ステップＳ３１５）。続いて、システムコントローラ５０は、ステップＳ３１５のＡ／Ｄ変換処理が完了したか否かを判断する（ステップＳ３１６）。この判断の結果、ステップＳ３１５のＡ／Ｄ変換処理が完了していないならば、ステップＳ３１５に戻る。
【０１１３】
一方、ステップＳ３１６の判断の結果、ステップＳ３１５のＡ／Ｄ変換処理が完了したならば、システムコントローラ５０は、本発光量の演算を行う（ステップＳ３１７）。具体的に、システムコントローラ５０は、まず、ステップＳ３１４で求めたプリ発光時の測光データから、ステップＳ３０６で求めた定常光時の測光データを引くことにより、プリ発光による被写体反射光成分のみを抽出する。次いで、システムコントローラ５０は、この被写体反射光成分と、予め内部メモリに記憶されている撮像素子１４のＩＳＯ感度に応じた適正光量時の被写体反射光による測光センサー７の測光データとの差によって本発光量を求める。なお、前述のように、測光センサー７の出力は、対数圧縮されているので、演算は加減算にて行うことができる。このとき加減算の演算は、定状光時の図８（ａ）に示す測光範囲内のセンサー部５０２の「１」の位置の測光データに対して、プリ発光時の図８（ｂ）に示す測光範囲内のセンサー部５０２の「１５」の位置の測光データから加減算の演算を行う。
【０１１４】
一方、ステップＳ３０５の判断の結果、発光制御を行うストロボが外付けストロボ４００であった場合には、続いて、システムコントローラ５０は、測光センサー７による定常光の測光を開始する（ステップＳ３１０）。このステップＳ３１０では、ステップＳ３０６と同様に、測光センサー７のセンサー部「１」〜「２１」までの測光エリアを測光の有効エリアとして光電変換が行われ、所定時間積分することで定常光の測光が行われる。
【０１１５】
続いて、システムコントローラ５０は、ステップＳ３１０の測光結果により得られた測光センサー７の電気信号に対して、当該システムコントローラ５０内の不図示のＡ／Ｄ変換器によるＡ／Ｄ変換を開始する（ステップＳ３１１）。このＡ／Ｄ変換処理とともに、システムコントローラ５０は、定常光の測光後からの時間経過を計時し、定常光の測光後から所定時間が経過したか否かを判断する（ステップＳ３１２）。このときの所定時間は、ステップＳ３１１によるＡＤ変換が完了する時間より短い時間である。
【０１１６】
ステップＳ３１２において所定時間が経過したと判断されたならば、続いて、システムコントローラ５０は、ステップＳ３１０の測光結果に基づく発光信号を外付けストロボ４００のストロボ制御マイコン４０６に出力する（ステップＳ３１３）。これにより、外付けストロボ４００からステップＳ３１０の測光結果に基づく所定光量のプリ発光（予備発光）が行われる。この発光信号（プリ発光指令）は、外付けストロボ４００とカメラ本体１００間の通信線４９９を介した公知のシリアル通信により、カメラ本体１００側のシステムコントローラ５０からストロボ制御マイコン４０６に出力される。
【０１１７】
図９は、内蔵ストロボ１２０及び外付けストロボ４００における定常光とプリ発光時のタイミングチャートである。ここで、図９（ａ）に内蔵ストロボ１２０における定常光とプリ発光時のタイミングチャートを示し、図９（ｂ）に外付けストロボ４００における定常光とプリ発光時のタイミングチャートを示す。
【０１１８】
図９（ａ）に示す内蔵ストロボ１２０の発光タイミングは、システムコントローラ５０からの発光信号に対して、遅れ時間がなく発光することができる。即ち、定常光の測光により得られた測光センサー７の電気信号におけるＡＤ変換の完了のタイミングと発光信号に基づくプリ発光のタイミングとを同時とすれば良い。この処理は、前述のステップＳ３０６〜ステップＳ３０９、ステップＳ３１４〜ステップＳ３１６のとおりである。
【０１１９】
しかしながら、外付けストロボ４００の場合には、前述の通り、シリアル通信後の発光となる。即ち、ステップＳ３１１によるＡＤ変換が完了した後にシリアル通信を行い、ステップＳ３１３の発光信号を出力すると、調光時間を長くしてしまう。よって、図９（ｂ）に示すように、定常光の測光により得られた測光センサー７の電気信号におけるＡＤ変換の開始からＡＤ変換が完了するまでの時間から、シリアル通信に要する通信時間を減算した時間を所定時間として計時して発光信号を出力する。そして、発光信号を出力したら（ステップＳ３１３）、システムコントローラ５０は、その外付けストロボ４００による所定のプリ発光により照射された閃光における被写体からの反射光の測光を測光センサー７で行う制御をする（ステップＳ３１４）。
【０１２０】
続いて、前述したように、システムコントローラ５０は、ステップＳ３１４の測光結果により得られた測光センサー７の電気信号に対して、当該システムコントローラ５０内の不図示のＡ／Ｄ変換器によるＡ／Ｄ変換を開始する（ステップＳ３１５）。そして、ステップＳ３１５のＡ／Ｄ変換が完了したら（ステップＳ３１６／ＹＥＳ）、システムコントローラ５０は、本発光量の演算を行う（ステップＳ３１７）。
【０１２１】
続いて、システムコントローラ５０は、シャッター制御部４０を制御し、シャッター９を開くとともに（ステップＳ３１８）、撮像素子１４の露光を開始する（ステップＳ３１９）。
【０１２２】
続いて、システムコントローラ５０は、ストロボを用いたフラッシュ撮影を行うか否かを判断する（ステップＳ３２０）。このステップＳ３２０の判断は、ステップＳ３０３で説明した判断と同様である。ステップＳ３２０の判断の結果、フラッシュ撮影を行うならば、システムコントローラ５０は、ステップＳ３１７で求めた本発光量に基づく本発光を、内蔵ストロボ１２０或いは外付けストロボ４００に行わせる（ステップＳ３２１）。
【０１２３】
続いて、システムコントローラ５０は、シャッター制御部４０を制御して、所定の露光時間の終了後にシャッター９を閉じるとともに（ステップＳ３２２）、撮像素子１４の露光を終了する（ステップＳ３２３）。続いて、システムコントローラ５０は、ミラー制御部４１を制御して、主ミラー８０２（主ミラー１）を図１１に示す電子ビューファインダーモード時のミラー位置に戻すミラーダウン動作を行う（ステップＳ３２４）。その後、図６のステップＳ３６１に移行する。
【０１２４】
また、前述したように、ステップＳ３００の判断の結果、ＥＶＦフラグが設定（ＥＶＦフラグがＯＮ）されていないならば、続いて、システムコントローラ５０は、ストロボを用いたフラッシュモードであるか否かを判断する（図５−２のステップＳ３３１）。このステップＳ３３１の判断は、ステップＳ３０３で説明した判断と同様である。ステップＳ３３１の判断の結果、フラッシュ撮影を行わない場合は、ステップＳ３４５に進む。
【０１２５】
一方、ステップＳ３０３の判断の結果、フラッシュ撮影を行う場合は、続いて、システムコントローラ５０は、発光制御を行うストロボが外付けストロボ４００であるか否かを判断する（ステップＳ３３２）。ここで、本実施形態においては、発光制御を行うためのストロボとして、外付けストロボ４００及び内蔵ストロボ１２０が設けられている。
【０１２６】
ステップＳ３３２の判断の結果、発光制御を行うストロボが外付けストロボ４００でない、即ち、内蔵ストロボ１２０であったならば、続いて、システムコントローラ５０は、測光センサー７による定常光の測光を開始する（ステップＳ３３３）。ここで、主ミラー８０２（主ミラー１）の位置は、ＯＶＦモード状態であるため図１０に示す位置にある。即ち、光束の中心は、測光センサー７に対して中心に導かれる。よって、ステップＳ３３３の定常光の測光は、図８（ｃ）に示す測光センサー７のセンサー部「１」〜「３５」までの測光エリアを測光の有効エリアとして光電変換が行われ、所定時間積分することで測光が行われる。
【０１２７】
続いて、システムコントローラ５０は、ステップＳ３３３の測光結果により得られた測光センサー７の電気信号に対して、当該システムコントローラ５０内の不図示のＡ／Ｄ変換器によるＡ／Ｄ変換を開始する（ステップＳ３３４）。続いて、システムコントローラ５０は、ステップＳ３３４のＡ／Ｄ変換処理が完了したか否かを判断する（ステップＳ３３５）。この判断の結果、ステップＳ３３４のＡ／Ｄ変換処理が完了していないならば、ステップＳ３３４に戻る。一方、ステップＳ３３５の判断の結果、ステップＳ３３４のＡ／Ｄ変換処理が完了したならば、システムコントローラ５０は、ステップＳ３３３の測光結果に基づく発光信号を内蔵ストロボ１２０に出力する（ステップＳ３３６）。これにより、内蔵ストロボ１２０からステップＳ３３３の測光結果に基づく所定光量のプリ発光（予備発光）が行われる。
【０１２８】
続いて、システムコントローラ５０は、その内蔵ストロボ１２０による所定のプリ発光により照射された閃光における被写体からの反射光の測光を測光センサー７で行う制御をする（ステップＳ３４１）。
【０１２９】
続いて、システムコントローラ５０は、ステップＳ３４１の測光結果により得られた測光センサー７の電気信号に対して、当該システムコントローラ５０内の不図示のＡ／Ｄ変換器によるＡ／Ｄ変換を開始する（ステップＳ３４２）。続いて、システムコントローラ５０は、ステップＳ３４２のＡ／Ｄ変換処理が完了したか否かを判断する（ステップＳ３４３）。この判断の結果、ステップＳ３４２のＡ／Ｄ変換処理が完了していないならば、ステップＳ３４２に戻る。
【０１３０】
一方、ステップＳ３４３の判断の結果、ステップＳ３４２のＡ／Ｄ変換処理が完了したならば、システムコントローラ５０は、本発光量の演算を行う（ステップＳ３４４）。具体的に、システムコントローラ５０は、まず、ステップＳ３４１で求めたプリ発光時の測光データから、ステップＳ３３３で求めた定常光時の測光データを引くことにより、プリ発光による被写体反射光成分のみを抽出する。次いで、システムコントローラ５０は、この被写体反射光成分と、予め内部メモリに記憶されている撮像素子１４のＩＳＯ感度に応じた適正光量時の被写体反射光による測光センサー７の測光データとの差によって本発光量を求める。
【０１３１】
一方、ステップＳ３３２の判断の結果、発光制御を行うストロボが外付けストロボ４００であった場合には、続いて、システムコントローラ５０は、測光センサー７による定常光の測光を開始する（ステップＳ３３７）。このステップＳ３３７では、ステップＳ３３３と同様に、測光センサー７のセンサー部「１」〜「３５」までの測光エリアを測光の有効エリアとして光電変換が行われ、所定時間積分することで定常光の測光が行われる。
【０１３２】
続いて、システムコントローラ５０は、ステップＳ３３７の測光結果により得られた測光センサー７の電気信号に対して、当該システムコントローラ５０内の不図示のＡ／Ｄ変換器によるＡ／Ｄ変換を開始する（ステップＳ３３８）。このＡ／Ｄ変換処理とともに、システムコントローラ５０は、定常光の測光後からの時間経過を計時し、定常光の測光後から所定時間が経過したか否かを判断する（ステップＳ３３９）。このときの所定時間は、ステップＳ３３８によるＡＤ変換が完了する時間より短い時間である。
【０１３３】
ステップＳ３３９において所定時間が経過したと判断されたならば、続いて、システムコントローラ５０は、ステップＳ３３７の測光結果に基づく発光信号を外付けストロボ４００のストロボ制御マイコン４０６に出力する（ステップＳ３４０）。これにより、外付けストロボ４００からステップＳ３３７の測光結果に基づく所定光量のプリ発光（予備発光）が行われる。この発光信号（プリ発光指令）は、外付けストロボ４００とカメラ本体１００間の通信線４９９を介した公知のシリアル通信により、カメラ本体１００側のシステムコントローラ５０からストロボ制御マイコン４０６に出力される。
【０１３４】
前述したように、図９は、内蔵ストロボ１２０及び外付けストロボ４００における定常光とプリ発光時のタイミングチャートである。
図９（ａ）に示す内蔵ストロボ１２０の発光タイミングは、システムコントローラ５０からの発光信号に対して、遅れ時間がなく発光することができる。即ち、定常光の測光により得られた測光センサー７の電気信号におけるＡＤ変換の完了のタイミングと発光信号に基づくプリ発光のタイミングとを同時とすれば良い。この処理は、前述のステップＳ３０６〜ステップＳ３０９、ステップＳ３１４〜ステップＳ３１６のとおりである。
【０１３５】
しかしながら、外付けストロボ４００の場合には、前述の通り、シリアル通信後の発光となる。即ち、ステップＳ３３８によるＡＤ変換が完了した後にシリアル通信を行い、ステップＳ３４０の発光信号を出力すると、調光時間を長くしてしまう。よって、図９（ｂ）に示すように、定常光の測光により得られた測光センサー７の電気信号におけるＡＤ変換の開始からＡＤ変換が完了するまでの時間から、シリアル通信に要する通信時間を減算した時間を所定時間として計時して発光信号を出力する。そして、発光信号を出力したら（ステップＳ３４０）、システムコントローラ５０は、その外付けストロボ４００による所定のプリ発光により照射された閃光における被写体からの反射光の測光を測光センサー７で行う制御をする（ステップＳ３４１）。
【０１３６】
続いて、前述したように、システムコントローラ５０は、ステップＳ３４１の測光結果により得られた測光センサー７の電気信号に対して、当該システムコントローラ５０内の不図示のＡ／Ｄ変換器によるＡ／Ｄ変換を開始する（ステップＳ３４２）。そして、ステップＳ３４２のＡ／Ｄ変換が完了したら（ステップＳ３４３／ＹＥＳ）、システムコントローラ５０は、本発光量の演算を行う（ステップＳ３４４）。
【０１３７】
続いて、システムコントローラ５０は、シャッター制御部４０を制御し、シャッター９を開くとともに（ステップＳ３４５）、撮像素子１４の露光を開始する（ステップＳ３４６）。
【０１３８】
続いて、システムコントローラ５０は、ストロボを用いたフラッシュ撮影を行うか否かを判断する（ステップＳ３４７）。このステップＳ３４７の判断は、ステップＳ３０３で説明した判断と同様である。ステップＳ３４７の判断の結果、フラッシュ撮影を行うならば、システムコントローラ５０は、ステップＳ３４４で求めた本発光量に基づく本発光を、内蔵ストロボ１２０或いは外付けストロボ４００に行わせる（ステップＳ３４８）。
【０１３９】
続いて、システムコントローラ５０は、シャッター制御部４０を制御して、所定の露光時間の終了後にシャッター９を閉じるとともに（ステップＳ３４９）、撮像素子１４の露光を終了する（ステップＳ３５０）。続いて、システムコントローラ５０は、ミラー制御部４１を制御して、主ミラー８０２（主ミラー１）を図１０に示す光学ファインダーモード時のミラー位置に戻すミラーダウン動作を行う（ステップＳ３５１）。その後、図６のステップＳ３６１に移行する。
【０１４０】
ステップＳ３２４又はステップＳ３５１の処理が終了した後、続いて、システムコントローラ５０は、ステップＳ３１８〜Ｓ３２３又はステップＳ３４５〜Ｓ３５０の処理により撮像素子１４で撮影された画像データをメモリ３０に書き込む（ステップＳ３６１）。なお、この場合、システムコントローラ５０は、当該画像データを画像表示メモリ２４に書き込むようにしても良い。
【０１４１】
続いて、システムコントローラ５０は、例えば、モードダイヤルスイッチ６０で設定されている撮影モードに基づいて、フレーム処理を行うか否かを判断する（ステップＳ３６２）。この判断の結果、フレーム処理を行わないならば、当該撮影処理を終了する。
【０１４２】
一方、ステップＳ３６２の判断の結果、フレーム処理を行うならば、システムコントローラ５０は、画像処理回路２０に対して、撮影した画像データの垂直加算処理を行わせる（ステップＳ３６３）。続いて、システムコントローラ５０は、画像処理回路２０に対して、ステップＳ３６３で処理した画像データの色変換処理を行わせる（ステップＳ３６４）。続いて、システムコントローラ５０は、画像処理回路２０に対して、ステップＳ３６４で処理した画像データ（表示画像データ）をメモリ３０に転送させ、メモリ３０に書き込む。なお、この場合、システムコントローラ５０は、当該画像データを画像表示メモリ２４に書き込むように制御しても良い。その後、当該撮影処理を終了する。
【０１４３】
次に、図３のステップＳ１３３における記録処理の詳細について説明する。
図７は、図３のステップＳ１３３における記録処理の詳細な処理を示すフローチャートである。
【０１４４】
まず、システムコントローラ５０は、メモリ制御回路２２、そして必要に応じて画像処理回路２０を用いて、例えばメモリ３０に書き込まれた画像データを読み出して、撮像素子１４の縦横画素比率を１：１に補間する画素正方化処理を行う（ステップＳ４０１）。その後、システムコントローラ５０は、画素正方化処理を行った画像データを、メモリ３０に書き込む制御を行う。
【０１４５】
続いて、システムコントローラ５０は、メモリ３０に書き込まれた当該画像データを読み出して、例えばモードダイアルスイッチ６０で設定されたモードに応じた画像圧縮処理を圧縮・伸長回路３２に行わせる（ステップＳ４０２）。
【０１４６】
続いて、システムコントローラ５０は、インタフェース９０及びコネクタ９２を介して、メモリカードやコンパクトストロボカード等の記録媒体２００へ圧縮した画像データの書き込みを行う（ステップＳ４０３）。その後、当該記録処理を終了する。
【０１４７】
以上説明したように、本実施形態に係る撮像装置では、画像表示部２８を用いて被写体を観察するＥＶＦモードが設定され（ステップＳ３００／ＹＥＳ）、ストロボを用いて撮影を行う場合（ステップＳ３０３／ＹＥＳ）、主ミラー１が所定の位置にあることを検出した際に（ステップＳ３０４／ＹＥＳ）、ストロボから予備発光を行い（ステップＳ３０９又はＳ３１３）、当該予備発光時の測光センサー７による測光結果に基づいて（ステップＳ３１４）、ストロボから撮影時の本発光を行うようにしている（ステップＳ３１７、Ｓ３２１）。
【０１４８】
これにより、本実施形態に係る撮像装置によれば、画像表示部２８に被写体を表示するファインダーモード（ＥＶＦモード）でストロボを用いた撮影を行う場合においても、測光センサーを複数設けること無く、適正な撮影を行うことが可能となる。
【０１４９】
前述した本実施形態に係る撮像装置を構成する図１の各手段、並びに撮像装置の制御方法を示した図２〜図７の各ステップは、コンピュータのＲＡＭやＲＯＭなどに記憶されたプログラムが動作することによって実現できる。このプログラム及び当該プログラムを記録したコンピュータ読み取り可能な記憶媒体は本発明に含まれる。
【０１５０】
具体的に、前記プログラムは、例えばＣＤ−ＲＯＭのような記憶媒体に記録し、或いは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体を用いることができる。また、この際の通信媒体としては、光ファイバ等の有線回線や無線回線などが挙げられる。
【０１５１】
また、コンピュータが供給されたプログラムを実行することにより本実施形態に係る撮像装置の機能が実現されるだけでなく、そのプログラムがコンピュータにおいて稼働しているＯＳ（オペレーティングシステム）或いは他のアプリケーションソフト等と共同して本実施形態に係る撮像装置の機能が実現される場合や、供給されたプログラムの処理の全て、或いは一部がコンピュータの機能拡張ボードや機能拡張ユニットにより行われて本実施形態に係る撮像装置の機能が実現される場合も、かかるプログラムは本発明に含まれる。
【図面の簡単な説明】
【０１５２】
【図１】本発明の実施形態に係るカメラシステム（撮像装置）の主として電気的な構成を示すブロック図である。
【図２】本発明の実施形態に係るカメラシステム（撮像装置）の制御方法を示すフローチャートである。
【図３】図２に引き続き、本発明の実施形態に係るカメラシステム（撮像装置）の制御方法を示すフローチャートである。
【図４】図３のステップＳ１２２における測光・測距処理の詳細な処理を示すフローチャートである。
【図５−１】図３のステップＳ１２９における撮影処理の詳細な処理を示すフローチャートである。
【図５−２】図５−１に引き続き、図３のステップＳ１２９における撮影処理の詳細な処理を示すフローチャートである。
【図６】図５−１、図５−２に引き続き、図３のステップＳ１２９における撮影処理の詳細な処理を示すフローチャートである。
【図７】図３のステップＳ１３３における記録処理の詳細な処理を示すフローチャートである。
【図８】本発明の実施形態に係るカメラシステム（撮像装置）の動作状態に応じた測光センサーの測光エリアを示す図である。
【図９】内蔵ストロボ及び外付けストロボにおける定常光とプリ発光時のタイミングチャートである。
【図１０】カメラシステム（撮像装置）におけるミラーの動作状態を示す図である。
【図１１】カメラシステム（撮像装置）におけるミラーの動作状態を示す図である。
【図１２】カメラシステム（撮像装置）におけるミラーの動作状態を示す図である。
【図１３】本発明の実施形態に係るカメラシステム（撮像装置）の測光光束を示す図である。
【符号の説明】
【０１５３】
１：主ミラー
２：ピント板
３：サブミラー
４：ペンタプリズム
５：アイピース
６：測光レンズ
７：測光センサー
８：焦点検出部
９：シャッター
１１：ミラー位置検出部
１４：撮像素子
１６：Ａ／Ｄ変換器
１８：タイミング発生回路
２０：画像処理回路
２２：メモリ制御回路
２４：画像表示メモリ
２６：Ｄ／Ａ変換
２８：画像表示部
３０：メモリ
３２：圧縮・伸長回路
４０：シャッター制御部
４１：ミラー制御部
５０：システムコントローラ
５２：第２のメモリ
５４：表示部
５６：不揮発性メモリ
６０：モードダイアルスイッチ
６２：第１のシャッタースイッチＳＷ１
６４：第２のシャッタースイッチＳＷ２
６６：ファインダーモード設定スイッチ
６８：クイックレビューＯＮ／ＯＦＦスイッチ
７０：操作部
８０：電源制御部
８２、８４：コネクタ
８６：電源部
９０：インタフェース（Ｉ／Ｆ）
９２、２０６：コネクタ
９８：記録媒体着脱検知部
１００：カメラ本体
１１０：通信部
１１２：コネクタ（またはアンテナ）
１２０：内蔵ストロボ
１２１：Ｘｅ管
１２２：反射笠
１２３：発光制御回路
１２４：充電回路
２００：記録媒体
２０２：記録部
２０４：インタフェース（Ｉ／Ｆ）
３００：レンズ装置
３０１：撮影レンズ
３０２：フォーカス制御部
３０３：被写体距離検出部
３０４：絞り
３０５：絞り制御部
３０６：レンズ制御マイコン
３１０：レンズマウント
３１１：コネクタ
３９９、４９９：通信線
４００：外付けストロボ
４０１：Ｘｅ管
４０２：反射笠
４０３：発光制御回路
４０４：充電回路
４０５：電源部
４０６：ストロボ制御マイコン
４１０：ホットシュー
４１１：コネクタ
【図１】
2007322895.tif 000003
【図２】
2007322895.tif 000004
【図３】
2007322895.tif 000005
【図４】
2007322895.tif 000006
【図５−１】
2007322895.tif 000007
【図５−２】
2007322895.tif 000008
【図６】
2007322895.tif 000009
【図７】
2007322895.tif 000010
【図８】
2007322895.tif 000011
【図９】
2007322895.tif 000012
【図１０】
2007322895.tif 000013
【図１１】
2007322895.tif 000014
【図１２】
2007322895.tif 000015
【図１３】
2007322895.tif 000016